(57)【要約】【課題】発光管の軸に直交する方向に一対のランプピンが設けられたランプを用いて薄型化を図ることができる照明器具を提供する。【解決手段】発光管３１の両端近傍の側面に設けられた口金３２から発光管３１の軸に直交する方向に突設されたランプピン３６を、ソケット２１に挿嵌して蛍光ランプ３０に電力を供給する。口金３２にはランプピン３６の突出方向に低い段部３５と高い段部３４を設けて、低い段部３５にランプピン３６を突設するとともに、ソケット２１には口金３２に対応した形状で、ランプピン３６を保持する受金ブロック２３を設けた。すなわち、ソケット２１において、口金３２の高い段部３４に対応する部分の高さを低くし、口金３２の低い段部３５に対応する部分の高さを高くして導電部２４３を設けることにより、蛍光ランプ３０のランプピン３６をソケット２１に挿嵌したときに、口金３２とソケット２１との全体高さを低くすることができる。これにより、照明器具１０の薄型化を図ることができる。【選択図】図３
2011009000.tif 000002
【特許請求の範囲】
【請求項１】
発光管の両端近傍の側面に設けられた口金から当該発光管の軸に直交する方向に一対のランプピンが突設された蛍光ランプと、
前記ランプピンを挿嵌することにより前記蛍光ランプに電力を供給するソケットと、を有する照明器具であって、
前記口金に、前記ランプピンの突出方向に突出する低い段部と高い段部とを設けるとともに、前記低い段部に前記ランプピンを突設し、
前記ソケットに、前記口金に対応した形状で前記ランプピンを保持する受金ブロックを設け、前記受金ブロックに前記ランプピンを保持して導通する導電部を設けたことを特徴とする照明器具。
【請求項２】
前記口金の高い段部の突出高さが、前記ランプピンの突出高さと同等かもしくは高いことを特徴とする請求項１記載の照明器具。
【請求項３】
前記受金ブロックの前記発光管の軸方向中心側面に、電源線を挿入して前記導電部に電力を供給する電源線接続穴を設けたことを特徴とする請求項1または２記載の照明器具。
【発明の詳細な説明】
【技術分野】
【０００１】
本発明は、発光管の軸に直交する方向に一対のランプピンが設けられたランプを用いた照明器具に関する。
【背景技術】
【０００２】
従来より、発光管の両端近傍の側面に設けられた口金から当該発光管の軸に直交する方向に突出する一対のランプピンが設けられたランプを用いた照明器具が知られている（例えば特許文献１参照）。
【０００３】
以下、図８に基づいて、従来より知られている照明器具１００について説明する。
この照明器具１００は、蛍光管１０１の側面に口金１０２が取り付けられ、この口金１０２に２本のランプピン１０３が設けられた蛍光ランプ１０４と、この蛍光ランプ１０４を装着するソケット１０５とを有する。
ソケット１０５は、ケース本体１０６と底板１０７とを有する。ケース本体１０６において、蛍光ランプ１０４の口金１０２に対向する面には、内部に２つのソケット電極（図示省略）を収容するスロット１０８が開口している。底板１０７は、ケース本体１０６を内包するように上方へ折り曲げられて、口金１０２を保持する保持部材１０９が設けられている。
【０００４】
従って、蛍光ランプ１０４をソケット１０５に取り付ける際には、蛍光ランプ１０４を蛍光管１０１の軸に直交する方向へ移動させて、ランプピン１０３をスロット１０８に挿入してソケット電極と電気的に接続する。そして、口金１０２を支持部材１０９によって保持する。
【先行技術文献】
【特許文献】
【０００５】
【特許文献１】特開２００４−３２７３７６号公報（第１図）
【発明の概要】
【発明が解決しようとする課題】
【０００６】
ところで、前述したような、蛍光管１０１の軸と直交する方向へランプピン１０３が突出して設けられている蛍光ランプ１０４では、ランプピン１０３と平行に細管部（図３参照）が設けられるのが一般的である。この細管部は、口金１０２の内部に収容されており、ランプピン１０３は口金１０２の表面から突設されている。このため、蛍光ランプ１０４をソケット１０５に装着した際に、口金１０２とソケット１０５との高さが高くなり、照明器具１００の薄型化を困難にしているという問題があった。
【０００７】
本発明は、従来の問題を解決するためになされたもので、発光管の軸に直交する方向に一対のランプピンが設けられたランプを用いて薄型化を図ることができる照明器具を提供することを目的とする。
【課題を解決するための手段】
【０００８】
本発明の照明器具は、発光管の両端近傍の側面に設けられた口金から当該発光管の軸に直交する方向に一対のランプピンが突設された蛍光ランプと、前記ランプピンを挿嵌することにより前記蛍光ランプに電力を供給するソケットと、を有する照明器具であって、前記口金に、前記ランプピンの突出方向に突出する低い段部と高い段部とを設けるとともに、前記低い段部に前記ランプピンを突設し、前記ソケットに、前記口金に対応した形状で前記ランプピンを保持する受金ブロックを設け、前記受金ブロックに前記ランプピンを保持して導通する導電部を設けた構成を有している。
【０００９】
この構成により、発光管の両端近傍の側面に設けられた口金から発光管の軸に直交する方向に突設されたランプピンを、ソケットに挿嵌して蛍光ランプに電力を供給する。口金にはランプピンの突出方向に低い段部と高い段部を設けて、低い段部にランプピンを突設するとともに、ソケットには口金に対応した形状で、ランプピンを保持する受金ブロックを設けた。すなわち、ソケットにおいて、口金の高い段部に対応する部分の高さを低くし、口金の低い段部に対応する部分の高さを高くして導電部を設けることにより、蛍光ランプのランプピンをソケットに挿嵌したときに、口金とソケットとの全体高さを低くすることができる。これにより、照明器具の薄型化を図ることができる。
【００１０】
また、本発明の照明器具は、前記口金の高い段部の突出高さが、前記ランプピンの突出高さと同等かもしくは高い構成を有している。
【００１１】
この構成により、口金の高い段部の突出高さが、ランプピンの突出高さと同等かもしくは高いので、ランプピンは高い段部から突出しない。これにより、ランプピンをソケットに挿嵌する際に、ランプピンがソケットや器具本体にぶつかって器具本体を傷つけるのを防止できる。また、ランプピンが変形したり傷つくのを防止できる。
【００１２】
さらに、本発明の照明器具は、前記受金ブロックの前記発光管の軸方向中心側面に、電源線を挿入して前記導電部に電力を供給する電源線接続穴を設けた構成を有している。
【００１３】
この構成により、受金ブロックの発光管の軸方向中心側面に、電源線を挿入して導電部に電力を供給する電源線接続穴を設けたので、電源線が見えず、外観を向上できる。
【発明の効果】
【００１４】
本発明は、口金にはランプピンの突出方向に低い段部と高い段部を設けて、低い段部にランプピンを突設するとともに、ソケットには口金に対応した形状で、ランプピンを保持する受金ブロックを設けた。すなわち、ソケットにおいて、口金の高い段部に対応する部分の高さを低くし、口金の低い段部に対応する部分の高さを高くして導電部を設けたので、蛍光ランプのランプピンをソケットに挿嵌したときに、口金とソケットとの全体高さを低くすることができる。これにより、照明器具の薄型化を図ることができるという効果を有する照明器具を提供できる。
【図面の簡単な説明】
【００１５】
【図１】本発明に係る実施形態の照明器具の斜視図
【図２】蛍光ランプとソケットの取付部の斜視図
【図３】図２中III−III位置の断面図
【図４】蛍光ランプをソケットに装着する前の状態の側面図
【図５】蛍光ランプをソケットに装着した状態の側面図
【図６】口金の全体形状の別の例を示す側面図
【図７】口金の全体形状のさらに別の例を示す側面図
【図８】従来の照明器具の斜視図
【発明を実施するための形態】
【００１６】
以下、本発明の実施形態の照明器具について、図面を用いて説明する。
図１に示すように、本発明に係る実施形態の照明器具１０は、器具本体２０の両端部に設けられたソケット２１、２１に、蛍光ランプ３０を装着するものであり、器具本体２０を例えば天井１１や壁に取り付けて使用する。
なお、図２以下の説明においては、説明の便宜上、ソケット２１の上側に蛍光ランプ３０を装着する状態を図示して説明する。
【００１７】
図２に示すように、蛍光ランプ３０は、円形断面の直管状の発光管３１を有し、発光管３１の両端部付近の側面には口金３２を有する。
図３〜図５に示すように、発光管３１の両端付近には、細管部３３が外側（図３において下方）に突出して設けられている。口金３２は、細管部３３を内包する高い段部３４と、低い段部３５を有し、低い段部３５には発光管３１の軸（以後、「発光管の軸」を単に「軸」という。）に直交する方向に一対のランプピン３６、３６が突設されている。また、低い段部３５の側面３５１には、最下端３５３よりも口金３２の幅方向内側に凹んだ係止凹部３５２が設けられている（図４および図５参照）。
【００１８】
図４に示すように、口金３２は、発光管３１の側面である下部を覆っており、軸方向中心側端部（図４において右側端部）が高く、中央部および軸方向端部側端部（図４において左側端部）が低い、全体Ｌ字形状をしている。
なお、口金３２の高い段部３４の発光管下端部からの突出高さＨ１は、ランプピン３６の突出高さＨ２と同等かもしくは高くなるように設定するのが望ましい。すなわち、Ｈ１≧Ｈ２である。
【００１９】
器具本体２０には、蛍光ランプ３０の両端部のランプピン３６の間隔に対応して一対のソケット２１、２１が取り付けられている（図１および図２参照）。ソケット２１は、器具本体２０に取り付けるための取付台２２を有しており、取付台２２の軸方向端部側にはソケット本体２１１が取り付けられている。また、取付台２２の軸方向中心側には、ランプピンを保持する受金ブロック２３がネジ２２１で取り付けられている。
【００２０】
受金ブロック２３は、口金３２に対応した形状をしている。すなわち、受金ブロック２３は、口金３２の高い段部３４が設けられている軸方向中心側端部に低い段部２３１を有し、口金３２の低い段部３５が設けられている軸方向端部側に高い段部２３２を有する。従って、受金ブロック２３は、例えば口金３２のＬ字形状を１８０°回転した向きのＬ字形状とすることができる。
【００２１】
図３に示すように、受金ブロック２３の軸方向中心側面、すなわち低い段部２３１の外側面には、電源線を挿入して導電部２４に電力を供給するために一対の電源線接続穴２３３が貫通して設けられている。電源線接続穴２３３の内部には、バネ部材からなる連結端子２４１が、各々設けられている。従って、電源線接続穴２３３に挿入された電源線は、連結端子２４１に挟まれて導通する。
【００２２】
図３に示すように、受金ブロック２３の高い段部２３２には、蛍光ランプ３０の一対のランプピン３６、３６を保持して導通する一対の導電部２４３、２４３が設けられている。各導電部２４３は、各々軸方向に延びる接続板２４２を介して連結端子２４１と一体的に接続されており、一対の導電板２４を構成している。また、図４および図５に示すように、ソケット本体２１１の上部には、口金３２の係止凹部３５２を係止して口金３２を保持する、バネ部材からなる保持材２５が、上方に突出して設けられている。
【００２３】
蛍光ランプ３０を器具本体２０のソケット２１に取り付けるには、図４に示すように、ランプピン３６を受金ブロック２３の導電部２４３の上方へ位置決めする。次いで、図３および図５に示すように、蛍光ランプ３０をソケット２１側へ移動させて、ランプピン３６を受金ブロック２３の導電部２４３に挿入するとともに、口金３２の低い段部３５に設けられている係止凹部３５２を、ソケット２１の保持材２５により保持する。
【００２４】
このようにして蛍光ランプ３０をソケット２１に装着したときに、受金ブロック２３の高い段部２３２の表面２３４が、口金３２の低い段部３５の最下端３５３に当接するようにするのが望ましい。これにより、ランプピン３６を導電部２４３に挿入して、確実に導通を図ることができる。
【００２５】
以上、説明した本発明に係る実施形態の照明器具１０によれば、口金３２にランプピン３６の突出方向に低い段部３５と高い段部３４を設けて、低い段部３５にランプピン３６を突設するとともに、ソケット２１には口金３２に対応した形状で、ランプピン３６を保持する受金ブロック２３を設けた。すなわち、ソケット２１において、口金３２の高い段部３４に対応する部分の高さを低くし、ランプピン３６が設けられている口金３２の低い段部３５に対応する部分の高さを高くして導電部２４３を設けたので、蛍光ランプ３０のランプピン３６をソケット２１に挿嵌したときに、口金３２とソケット２１との全体高さを低くすることができる。これにより、照明器具１０の薄型化を図ることができる。
【００２６】
また、口金３２の高い段部３４の突出高さＨ１が、ランプピン３６の突出高さＨ２と同等かもしくは高くしたので、ランプピン３６は高い段部３４から突出しない。これにより、ランプピン３６をソケット２１に挿嵌する際に、ランプピン３６をソケット２１や器具本体２０にぶつけてソケット２１や器具本体２０を傷つけるのを防止できる。また、ランプピン３６が変形したり傷つくのを防止できる。
【００２７】
さらに、受金ブロック２３の軸方向中心側面に、電源線を挿入して導電部２４３に電力を供給する電源線接続穴２３３を設けたので、電源線が見えず、外観を向上できる。
【００２８】
なお、本発明の照明器具は、前述した実施形態に限定されるものでなく、適宜な変形，改良等が可能である。
例えば、前述した実施形態においては、口金３２を、軸方向中心側が高いＬ字形状とした場合を例示したが、この他、図６に示す照明器具１０Ｂの口金３２Ｂように、軸方向端部側に高い段部３４Ｂを設け、軸方向中心側に低い段部３５Ｂを設けたＬ字形状とすることができる。
また、図７に示す照明器具１０Ｃの口金３２Ｃのように、中央部が高い段部３４Ｃを設け、両側に低い段部３５Ｃを設けたＴ字形状とすることもできる。
【符号の説明】
【００２９】
１０  照明器具
２１  ソケット
２３  受金ブロック
２３３  電源線接続穴
２４３  導電部
３０  蛍光ランプ
３１  発光管
３２  口金
３４  高い段部
３５  低い段部
３６  ランプピン
Ｈ１  高い段部の突出高さ
Ｈ２  ランプピンの突出高さ
【図１】
2011009000.tif 000003
【図２】
2011009000.tif 000004
【図３】
2011009000.tif 000005
【図４】
2011009000.tif 000006
【図５】
2011009000.tif 000007
【図６】
2011009000.tif 000008
【図７】
2011009000.tif 000009
【図８】
2011009000.tif 000010